(57)【要約】【課題】  遊技機の内部設定を不正に変更する行為を防止する。【解決手段】  設定キースイッチ２０５４に基づき予め定められた手順に従い設定の変更を行う遊技機において、スイッチ２０５４に電流を供給する電源２０６１と、電源２０６１からスイッチ２０５４への電流の供給をオンオフするオン／オフ装置２０６０と、オン／オフ装置２０６０による電流の供給のオンオフを制御する設定キースイッチ電源制御部２００ａとを備える。メイン基板２００は、オン／オフ装置２０６０により電流の供給がオンになったときのスイッチ２０５４からの信号を受け、当該信号に基づき設定の変更を行う。設定キースイッチ電源制御部２００ａは、オン／オフ装置２０６０がオフのとき、不正にスイッチ２０５４を操作しても設定変更を行うことができない。【選択図】        図４
2008289570.tif 000002
【特許請求の範囲】
【請求項１】
遊技に係る抽選処理及び当該抽選処理に係る設定の変更を行うメイン基板と、前記設定の変更を行う際に使用される設定変更用スイッチとを備え、前記設定変更用スイッチの出力に基づき予め定められた手順に従い前記設定の変更を行う遊技機において、
前記設定変更用スイッチに電流を供給する電源と、
前記電源から前記設定変更用スイッチに流れる前記電流の供給をオンオフする、又は、前記設定変更用スイッチを経由した前記電流の接地をオンオフするオン／オフ装置と、
前記オン／オフ装置による前記電流の供給又は前記電流の接地のオンオフを制御するオンオフ制御部とを備え、
前記オンオフ制御部は、予め定められたときにのみ、前記オン／オフ装置をオンにし、
前記メイン基板は、前記オン／オフ装置により前記電流の供給又は前記電流の接地がオンになったときの前記設定変更用スイッチの出力を受け、当該出力に基づき前記設定の変更を行うことを特徴とする遊技機。
【請求項２】
遊技に係る抽選処理及び当該抽選処理に係る設定の変更を行うメイン基板と、前記設定の変更を行う際に使用される設定変更用スイッチとを備え、前記設定変更用スイッチの出力に基づき予め定められた手順に従い前記設定の変更を行う遊技機において、
前記設定変更用スイッチに信号を供給する信号源と、
前記信号源から前記設定変更用スイッチへ供給される前記信号の供給をオンオフするオン／オフ装置と、
前記オン／オフ装置による前記信号の供給を制御するオンオフ制御部と、
前記設定変更用スイッチの出力を前記信号源の前記信号と比較する比較部とを備え、
前記オンオフ制御部は、予め定められたときにのみ、前記オン／オフ装置をオンにし、
前記メイン基板は、前記比較部により前記設定変更用スイッチの出力が前記信号源の前記信号と一致したと判定したときに、前記設定の変更を行うことを特徴とする遊技機。
【請求項３】
遊技機の電源投入時に計時を開始するパワーオンタイマを備え、
前記オンオフ制御部は、前記パワーオンタイマの出力に基づき、遊技機の電源投入から予め定められた時間を経過後に前記オン／オフ装置をオンにすることを特徴とする請求項１又は請求項２記載の遊技機。
【請求項４】
遊技機の前扉の開放を検知する前扉開放検知センサを備え、
前記オンオフ制御部は、前記前扉開放検知センサにより遊技機の前扉の開放を検知したときに前記オン／オフ装置をオンにすることを特徴とする請求項１又は請求項２記載の遊技機。
【請求項５】
それぞれ複数の図柄が表示されている複数の回胴を備え、
前記メイン基板は、前記複数の回胴の回転及び停止の制御を行うとともに、この制御により停止された前記複数の回胴の図柄の組み合わせに基づき入賞判定を行い、
前記オンオフ制御部は、前記メイン基板が前記複数の回胴を回転させているときに、前記オン／オフ装置をオンにすることを特徴とする請求項１又は請求項２記載の遊技機。
【請求項６】
前記設定の変更が可能な設定変更可能時間帯に関する情報を記憶する設定変更時間帯記憶部と、日付及び／又は時刻情報を出力するリアルタイムクロックとを備え、
前記オンオフ制御部は、前記リアルタイムクロックによる現在の前記日付及び／又は時刻情報を前記設定変更時間帯記憶部の情報と比較し、この比較の結果に基づき前記オン／オフ装置をオンにすることを特徴とする請求項１又は請求項２記載の遊技機。
【発明の詳細な説明】
【技術分野】
【０００１】
この発明は、スロットマシン等の遊技機に関し、特に抽選処理に係る設定の変更に関するセキュリティを向上させたものに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に図柄が揃ったときに賞品としてメダルを払い出すものであるが、図柄が揃うかどうかは内部のコンピュータによる抽選の結果に従う。また、ビッグボーナス（ＢＢ）、レギュラーボーナス（ＲＢ）、小役などのさまざまな賞も内部のコンピュータによる抽選の結果に従う。抽選の処理の内容（内部動作）は所定の範囲内で設定の変更が可能であり、遊技機が設置されるホールなどにおいて店側により設定作業が行われる。
【０００４】
通常のスロットマシンは、ＢＢ，ＲＢ、小役等の抽選確率の異なる複数の抽選テーブルを予め備える。スロットマシンの抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定の変更（以下、「設定変更」と記す）と称している。
【０００５】
従来、例えばスロットマシンのような遊技機では、設定値（通常１〜６）を変更する場合、遊技機の扉を開け、電源部に設けられた設定キースイッチに設定キーを挿入して当該キースイッチをオンにした状態で遊技機の電源を投入して設定変更可能な状態にし、設定変更ボタン（押ボタン）を１回押下するごとに、７セグメント表示器などに表示される設定値がインクリメントされて１〜６までの値を循環的に変化させ、所望する設定値が表示器に表示されたところでスタートスイッチを操作することで、所望する設定値を確定させていた。
【０００６】
【特許文献１】特開２００６−３４６１２８号公報
【特許文献２】特開２００５−１６８６５９号公報
【特許文献３】特開２００６−２３５号公報
【特許文献４】特開２００７−６８５８２号公報
【発明の開示】
【発明が解決しようとする課題】
【０００７】
上述した設定変更はホールの方針に従って係員が行うものである。しかし、自己に有利なように不正に設定変更を行い、利益を得ようとする者がいた。このような不正行為を行う者により、ホールが損害を被っている。手口としては遊技機筐体の隙間から道具を挿入して下扉を開かない状態で設定変更を行う、下扉をわずかに開いた状態で道具を用いて行う等、いろいろある。
【０００８】
上述した不正行為の対策として、所定回数の電源オンオフが行われた後に設定変更を許可するもの（特許文献１）、設定変更を行うためのキーにＲＦＩＤを設け、これにより認証を行うもの（特許文献２）、ホールコンピュータでホールに設置された遊技機の設定変更を監視するもの（特許文献３）、電源スイッチをオンにした後、所定時間電源の供給を遅らせることにより設定変更を困難にするもの（特許文献４）、などが知られている。
【０００９】
本発明は、公知の特許文献１〜特許文献４とは異なる手段で不正行為を防止することのできる遊技機を提供することを目的とする。
【課題を解決するための手段】
【００１０】
この発明は、遊技に係る抽選処理及び当該抽選処理に係る設定の変更を行うメイン基板と、前記設定の変更を行う際に使用される設定変更用スイッチとを備え、前記設定変更用スイッチの出力に基づき予め定められた手順に従い前記設定の変更を行う遊技機において、
前記設定変更用スイッチに電流を供給する電源と、
前記電源から前記設定変更用スイッチに流れる前記電流の供給をオンオフする、又は、前記設定変更用スイッチを経由した前記電流の接地をオンオフするオン／オフ装置と、
前記オン／オフ装置による前記電流の供給又は前記電流の接地のオンオフを制御するオンオフ制御部とを備え、
前記オンオフ制御部は、予め定められたときにのみ、前記オン／オフ装置をオンにし、
前記メイン基板は、前記オン／オフ装置により前記電流の供給又は前記電流の接地がオンになったときの前記設定変更用スイッチの出力を受け、当該出力に基づき前記設定の変更を行うものである。
【００１１】
この発明は、遊技に係る抽選処理及び当該抽選処理に係る設定の変更を行うメイン基板と、前記設定の変更を行う際に使用される設定変更用スイッチとを備え、前記設定変更用スイッチの出力に基づき予め定められた手順に従い前記設定の変更を行う遊技機において、
前記設定変更用スイッチに信号を供給する信号源と、
前記信号源から前記設定変更用スイッチへ供給される前記信号の供給をオンオフするオン／オフ装置と、
前記オン／オフ装置による前記信号の供給を制御するオンオフ制御部と、
前記設定変更用スイッチの出力を前記信号源の前記信号と比較する比較部とを備え、
前記オンオフ制御部は、予め定められたときにのみ、前記オン／オフ装置をオンにし、
前記メイン基板は、前記比較部により前記設定変更用スイッチの出力が前記信号源の前記信号と一致したと判定したときに、前記設定の変更を行うものである。
上記設定変更用スイッチは、例えば、設定キースイッチ、設定変更／リセットスイッチ及びスタートスイッチのいずれかである。
【００１２】
遊技機の電源投入時に計時を開始するパワーオンタイマを備え、
前記オンオフ制御部は、前記パワーオンタイマの出力に基づき、遊技機の電源投入から予め定められた時間を経過後に前記オン／オフ装置をオンにするようにしてもよい。
【００１３】
遊技機の前扉の開放を検知する前扉開放検知センサを備え、
前記オンオフ制御部は、前記前扉開放検知センサにより遊技機の前扉の開放を検知したときに前記オン／オフ装置をオンにするようにしてもよい。
【００１４】
それぞれ複数の図柄が表示されている複数の回胴を備え、
前記メイン基板は、前記複数の回胴の回転及び停止の制御を行うとともに、この制御により停止された前記複数の回胴の図柄の組み合わせに基づき入賞判定を行い、
前記オンオフ制御部は、前記メイン基板が前記複数の回胴を回転させているときに、前記オン／オフ装置をオンにするようにしてもよい。
【００１５】
前記設定の変更が可能な設定変更可能時間帯に関する情報を記憶する設定変更時間帯記憶部と、日付及び／又は時刻情報を出力するリアルタイムクロックとを備え、
前記オンオフ制御部は、前記リアルタイムクロックによる現在の前記日付及び／又は時刻情報を前記設定変更時間帯記憶部の情報と比較し、この比較の結果に基づき前記オン／オフ装置をオンにするようにしてもよい。
【発明の効果】
【００１６】
本発明によれば、設定変更の際に使用するスイッチに供給する電流などをオンオフするオン／オフ装置を備え、予め定められたときにのみ前記オン／オフ装置をオンにして電流などを供給するので、予め定められたときにのみ設定変更を行うことができ、これにより不正な設定変更という行為を抑止することができる。
【発明を実施するための最良の形態】
【００１７】
発明の実施の形態１．
この発明の実施の形態に係る遊技機（スロットマシン）について図面を参照して説明する。
【００１８】
図１は前扉を閉めた状態を示す遊技機の正面図、図２は前扉を１８０度開いた状態を示す遊技機の正面図を示す。
【００１９】
図１及び図２中、１００は遊技機を示すもので、この遊技機１００は、図１に示すように、遊技機本体１２０と、この遊技機本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルを遊技機１００外に強制的に排出するためのリジェクトボタン１３３が設けられている。
【００２０】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００２１】
遊技機本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。遊技機本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００２２】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２３】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２４】
遊技機で遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット２０３の駆動を開始させる。リールユニット２０３は、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２５】
図３は電源部２０５のパネルの詳細を示す。
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は設定変更を行うためのスイッチであり、設定変更／リセットスイッチ２０５５は設定値を変更したり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００２６】
図４は発明の実施の形態に係る遊技機の機能ブロック図を示す。
図４において、２００、２０１はそれぞれＣＰＵ、ＲＯＭ及びＲＡＭを内蔵するメイン基板（制御部）、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、符号を付していないベットスイッチなどのスイッチからなる操作部である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。１２１は、貯留したメダルを前扉１３０の前面に設けた払出し口１３５に１枚ずつ払い出すためのホッパ装置である。ＤＳは、前扉１３０の開放を検知するドア開放検知センサ（例えばマイクロスイッチ）である。
【００２７】
発明の実施の形態１に係る電源２０５は、設定キースイッチ２０５４に電流を供給する電源２０６１と、電源２０６１から設定キースイッチ２０５４への電流の供給をオンオフするオン／オフ装置２０６０とを備える。オン／オフ装置２０６０は、メイン基板２００の設定キースイッチ電源制御部２００ａにより制御される。電源２０６１は、例えば＋５Ｖの直流電源である。オン／オフ装置２０６０は、例えばリレーである。オン／オフ装置２０６０及び電源２０６１については、後にさらに詳しく説明する。
【００２８】
メイン基板２００は、遊技者の操作を受けて内部抽選（内部動作）を行ったり、リールの回転・停止やメダルの払い出しなどの処理を行うためのものである。メイン基板２００は、予め設定されたプログラムに従って制御動作を行うＣＰＵと、前記プログラムを記憶する記憶手段であるＲＯＭおよび処理結果などを一時的に記憶するＲＡＭを含む。メイン基板２００のＲＯＭ内には例えば設定値１〜６にそれぞれ対応する複数の抽選テーブル（図示しない）が格納されており、設定変更によって設定された設定値に対応した抽選テーブルを用いて抽選処理が行われる。設定値とは、予め用意された複数のテーブルのいずれかを選択するためのものである。
【００２９】
図４に示すように、発明の実施の形態１に係るメイン基板２００は、設定キースイッチ電源制御部２００ａ、パワーオンタイマ２００ｂ、リアルタイムクロック２００ｃ、設定変更時間帯記憶部２００ｄを含む。設定キー電源制御部２００ａ〜設定変更時間帯記憶部２００ｄは、専用のハードウエア（ＩＣなど）あるいはソフトウエア（ＲＯＭに記憶された所定のプログラムをＣＰＵで実行すること）で実現される。
図４における設定キー電源制御部２００ａ〜設定変更時間帯記憶部２００ｄは、メイン基板２００が果たす機能をブロック図として表現したものであり、一例に過ぎない。例えば、設定キー電源制御部２００ａ〜設定変更時間帯記憶部２００ｄの少なくとも一部を、メイン基板２００の外部に設けるようにしてもよい。例えば、設定キー電源制御部２００ａを、電源部２０５に設けることができる（後述のように、スタートスイッチ１３４の電源をオンオフする場合は、操作部２０２に設けるとよい）。あるいは、メイン基板２００や電源部２０５とは別個独立のユニットとして設けることもできる。例えば、基板と基板を接続する図示しないワイヤハーネスに組み込む（例えば、その途中に小さな基板を設ける）こともできる。あるいは、ワイヤハーネスを中継する図示しない中継基板に設けることもできる。
【００３０】
２００ａは、オン／オフ装置２０６０による設定キースイッチ電源２０６１の電流の供給を制御する設定キースイッチ電源制御部である。設定キースイッチ電源制御部２００ａは、ドア開放検知センサＤＳ、パワーオンタイマ２００ｂ、リアルタイムクロック２００ｃ、設定変更時間帯記憶部２００ｄからの信号などに基づき、予め定められたタイミングでオン／オフ装置２０６０の電流の供給をオンにする。
オン／オフ装置２０６０でオンオフする電流を、遊技機の図示しない電源スイッチによりオンオフされるいわゆる主電源（これは電源２０５に設けられている）から供給することができるが、本発明の実施の形態はこれには限定されない。専用の電源（例えばバッテリ等）を設け、これから供給するようにしてもよい。主電源を利用する場合、遊技機の主電源がオンで、かつ、オン／オフ装置２０６０がオンのときのみ設定キースイッチ２０５４に電流が供給されるので、遊技機の主電源がオンでも、設定キースイッチ２０５４がオフであるため電流が供給されないことがある。専用の電源の場合、遊技機の主電源のオンオフとは無関係に、設定キースイッチ２０５４への電流の供給をオンオフすることができる。本発明の実施の形態はいずれの構成にも適用できる。
設定キースイッチ電源制御部２００ａは、例えば、ドア開放検知センサＤＳで遊技機の前扉１３０の開放を検知したときにオン／オフ装置２０６０部をオンにする。なお、オンのタイミングについては、後に詳しく説明する。
【００３１】
メイン基板２００は、オン／オフ装置２０６０により電流の供給がオンになり（設定キースイッチ２０５４が有効になり）、かつ、設定キースイッチ２０５４がオンになったとき、当該スイッチ２０５４から信号に基づき設定変更を行う。
【００３２】
２００ｂは、電源オンから計時を開始するパワーオンタイマである。設定キースイッチ電源制御部２００ａは、パワーオンタイマ２００ｂの出力に基づき電源投入から所定時間経過した後にオン／オフ装置２０６０をオンにする。
【００３３】
２００ｃは、日付及び／又は時刻情報を出力するリアルタイムクロックである。リアルタイムクロック２００ｃはバッテリを備えており、遊技機の電源がオフの間も正しい日付及び／又は時刻を出力している。
【００３４】
２００ｄは、設定変更が可能な設定変更可能時間帯に関する情報を記憶する設定変更時間帯記憶部である。前記情報の具体例は後述する。
【００３５】
サブ基板２０１は、メイン基板２００からコマンド信号を受けて内部抽選の結果を報知したり各種演出を行うためのものである。サブ基板２０１は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。
【００３６】
遊技機は、基本的に図柄が揃ったときにメダルを払い出すものであるが、図柄が揃うかどうかは内部のコンピュータによる抽選の結果に従う。また、ビッグボーナス（ＢＢ）、レギュラーボーナス（ＲＢ）、小役などのさまざまな賞も内部のコンピュータによる抽選の結果に従う。抽選の処理については、所定の範囲内で設定可能（当選の確率を高くしたり低くしたりできる）であり、遊技機が設置されるホールなどにおいて店側により設定作業が行われる。通常の遊技機は、ＢＢ，ＲＢ、小役等の抽選確率の異なる複数（例えば６つ）の抽選テーブルを予め備える。遊技機の抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定変更と称している。
【００３７】
図５（ａ）及び（ｂ）は、発明の実施の形態に係る電源部２０５の内部接続の概念図である。
【００３８】
図５（ａ）では、設定キースイッチ電源２０６１と設定キースイッチ２０５４の間に、リレーなどのオン／オフ装置２０６０が直列に接続されている。設定キースイッチ２０５４をオン（ＯＮ）したときに、その旨の信号がメイン基板２００に入力されるには、設定キースイッチ２０５４に設定キースイッチ電源２０６１からの電流が供給される必要がある。例えば、設定キースイッチ信号として電圧が５Ｖ程度の高いレベル（Ｈレベル）の信号がメイン基板２００に入力されたときに、メイン基板２００が設定変更の処理を実行する場合、オン／オフ装置２０６０がオフで設定キースイッチ２０５４に電流が供給されていないと、設定キースイッチ２０５４をオンにしたとしても設定キースイッチ信号はＨレベルにならない。したがって、設定キースイッチ２０５４のオンを有効にするには、オン／オフ装置２０６０をオンにする必要がある。
【００３９】
図５（ｂ）は、設定キースイッチ信号として電圧が接地電圧（０Ｖ）程度の低いレベル（Ｌレベル）の信号がメイン基板２００に入力されたときに、メイン基板２００が設定変更の処理を実行する場合に適用できる回路の例を示す。図５（ｂ）では、設定キースイッチ２０５４と接地（ＧＮＤ）の間にオン／オフ装置２０６０が直列に接続されているとともに、設定キースイッチ信号の電線（設定キースイッチ２０５４のコモン端子）が抵抗Ｒを介して設定キースイッチ電源２０６１に接続されている（なお、メイン基板２００の入力端がＨレベルにプルアップされているときは、抵抗Ｒは不要である）。オン／オフ装置２０６０がオフで設定キースイッチ２０５４が接地されていないと、設定キースイッチ２０５４をオンにしたとしても設定キースイッチ信号はＬレベルにならない。したがって、設定キースイッチ２０５４のオンを有効にするには、オン／オフ装置２０６０をオンにする必要がある。
【００４０】
図５（ａ）、（ｂ）いずれの場合も、発明の実施の形態に係る遊技機の動作は同じである。
【００４１】
図６は、設定変更フローチャートを示す。
図６は設定変更手順の全体を示す。まず、遊技機の電源をオフにし（Ｓ１０）、設定キースイッチ２０５４をオンにする（Ｓ１１）。そして、遊技機の電源をオンにする（Ｓ１２）。従来であれば直ちに設定変更モードになったが、発明の実施の形態ではオン／オフ装置２０６０がオンの場合のみ、設定変更モードになる。オン／オフ装置２０６０がオフであると設定変更モードにはならず、通常の遊技モードになる。設定変更モードになったら、従来と同様の手順で設定変更を行う（Ｓ１３）。具体的には、設定変更／リセットスイッチ２０５５を押して設定値を所望の値に設定する。所望の設定値になったらスタートスイッチ１３４を押下し、設定値を確定する（Ｓ１４）。設定キースイッチ２０５４をオフにする（Ｓ１５）ことにより、通常の遊技モードに移行する。
【００４２】
図７は、本発明の実施の形態に係る設定キースイッチ電源オンオフ処理フローチャートを示す。
【００４３】
設定キースイッチ電源制御部２００ａは、設定キースイッチ電源をオン（オン／オフ装置２０６０をオン）にするべきタイミングかどうか判定する（Ｓ２０）。設定キースイッチ電源オンのタイミングであれば（Ｓ２１でＹＥＳ）、オン／オフ装置２０６０をオンにすることで設定キースイッチの電源をオンにする（Ｓ２２）。そうでなければ（Ｓ２１でＮＯ）、オン／オフ装置２０６０をオフのままにしておく（Ｓ２３）。
【００４４】
次に、オン／オフ装置２０６０をオンにするべきタイミング（予め定められたタイミング）について説明を加える。
【００４５】
（１）電源投入後一定時間経過後
電源オンから一定時間を経過した後にオン／オフ装置２０６０をオンにする。設定キースイッチ電源制御部２００ａは、パワーオンタイマ２００ｂの出力に基づき判断する。
【００４６】
（２）前扉の開放時
前扉１３０が開放しているときにオン／オフ装置２０６０をオンにする。設定キースイッチ電源制御部２００ａは、ドア開放検知センサＤＳの出力に基づき判断する。
【００４７】
（３）リール回転中
リールユニット２０３の３つのリールの少なくともひとつを回転させているとき、オン／オフ装置２０６０をオンにする。リールユニット２０３を駆動制御しているのはメイン基板２００であるから、その駆動制御の状態に応じてオン／オフ装置２０６０をオンオフする。
【００４８】
（４）営業時間外
設定変更が可能な設定変更可能時間帯に関する情報を予め設定変更時間帯記憶部２００ｄに記憶しておく。メイン基板２００は、リアルタイムクロック２００ｃによる現在の時刻を設定変更時間帯記憶部の情報と比較し、この比較の結果に基づきオン／オフ装置２０６０をオンオフする。
【００４９】
上記（４）において、メイン基板２００のＣＰＵが実行する具体的な手順について、図８のフローチャートを参照して説明する。
【００５０】
Ｓ３０：電源部２０５の電源スイッチ２０５１をＯＮにする。
Ｓ３１：設定変更時間帯を設定するか否かを決定する。例えば、営業時間中に設定変更ができないようにする。
Ｓ３２：設定変更時間帯を設定する。例えば、電源投入時に打ち止めスイッチ２０５３をＯＮにしておくと、設定変更時間帯の設定モードに入る。すなわち、設定変更時間帯記憶部２００ｄに設定変更不可時間帯を設定する。設定変更不可時間帯の内容は、後に詳しく説明する。
【００５１】
Ｓ３３：設定変更時間帯が設定されたら、リアルタイムクロック２００ｃから現在の時刻を取得し、現在の時刻が設定変更不可時間帯か、設定変更可能時間帯かを判断する。現在の時刻はリアルタイムクロック２００ｃにより特定できるので、この時刻と設定変更時間帯記憶部２００ｄで予め設定された時刻とをメイン基板２００で比較する。
【００５２】
Ｓ３４：現在の時刻が設定変更可能時間帯の範囲内であれば、オン／オフ装置２０６０をオンにする。
Ｓ３５：現在の時刻が設定変更不可時間帯の範囲内であれば、オン／オフ装置２０６０をオフにする。
【００５３】
図９乃至図１２は、設定変更時間帯記憶部２００ｄに予め記憶されている設定変更時間帯テーブル、すなわち設定変更不可時間帯及び設定変更可能時間帯の設定の一例を示す説明図である。
【００５４】
通常、設定変更はホールの営業開始前又は営業終了後に行われる。そこで、図９に示すように、ホールの営業中に当たるホールの開店時間及びその前後を設定変更不可時間帯Ａに設定し、それ以外の時間を設定変更可能時間帯Ｂに設定する。
【００５５】
図１０は、１週間単位で設定変更時間帯を設定する場合を示す図である。図において、設定変更不可時間帯Ａ及び設定変更可能時間帯Ｂを１週間単位で管理し、例えば月曜日が定休日の場合、ホール閉店時間と同様に設定変更可能時間帯Ｂとして設定することができる。この場合、月曜日全体を設定変更可能時間帯Ｂとして設定することも、その一部の時刻を設定変更可能時間帯Ｂとして設定することもできる。また、定休日以外の曜日全体を設定変更不可時間帯Ａとするようにしてもよい。
【００５６】
図１１は、１ヶ月単位で設定変更時間帯を設定する場合を示す図である。図において、設定変更不可時間帯Ａ及び設定変更可能時間帯Ｂを１ヶ月単位で管理し、例えば月曜日が定休日の場合、ホール閉店時間と同様に設定変更可能時間帯Ｂとして設定することができる。定休日以外の曜日全体を設定変更不可時間帯Ａとするようにしてもよい。また、図１１における３１日は臨時休業の日であり、設定変更可能時間帯Ｂ（図中、「可※」で示す）として設定することができる。このような１ヶ月単位で設定変更時間帯の設定を１年単位又はそれ以上の年、月、日で行うことも可能である。
【００５７】
図１２（ａ）はホール開店準備中の電源投入時を基準として時間帯が設定される場合を示す。タイマー２１４がホール開店時間よりも少し長く設定されるので、ホール開店中は設定変更不可時間帯Ａに設定される。図１２（ｂ）は同図（ａ）に加えて、ホール閉店後の通常の設定変更を基準として時間帯が設定される場合を示す。この場合、ホール閉店後であっても設定変更不可時間帯Ａに設定される。
【００５８】
発明の実施の形態１によれば、設定キースイッチ２０５４に電流を供給する設定キースイッチ電源２０６１と、設定キースイッチ電源２０６１から設定キースイッチへの電流の供給をオンオフする、又は、前記スイッチを経由した前記電流の接地をオンオフするオン／オフ装置２０６０とを備えるので、予め定められたタイミングでのみ設定キースイッチ２０５４を有効にすることができる。オン／オフ装置２０６０がオフのときは、設定キースイッチ２０５４を不正に操作されても設定変更の処理は開始されない。設定キースイッチ２０５４の端子を電源又は接地に不正にショートさせても、電源をオフにしているため設定変更の処理は開始されない。したがって、不正な設定変更を防止することができる。
【００５９】
発明の実施の形態２．
発明の実施の形態２に係る設定キースイッチ２０５４の接続の概念図を、図１３に示す。図１３は、図５（ａ）に相当するものであり、同一又は相当部分には同一符号を付してある。
【００６０】
２０６２は、特定の種類の信号（例えば、特定の電圧・特定の周波数のアナログ信号、ランダムに０又は１となるデジタル信号など）を出力する設定キースイッチ用信号源である。ランダムに０又は１となるデジタル信号を生成するには、例えば、パラレル−シリアル変換を行うシフトレジスタを用意し、これにメイン基板２００で生成される抽選用の乱数をロードし、特定のクロック信号でシフトレジスタの内容（乱数）を出力するようにすればよい。
【００６１】
２００ｅは、設定キースイッチ２０５４からの信号を設定キースイッチ用信号源２０６２の特定の種類の信号と比較するコンパレータである。コンパレータ２００ｅの出力に基づき、メイン基板２００は設定変更の処理を開始する。コンパレータ２００ｅは、例えば、特定の周波数のみを通過させるフィルタとアナログコンパレータの組み合わせ、あるいは、排他的論理和（ＸＯＲ）ゲートで構成される。ランダムに０又は１となるデジタル信号を比較するには、設定キースイッチ２０５４からの信号と設定キースイッチ用信号源２０６２の出力の排他的論理和（ＸＯＲ）を求め、それが連続して０になっているかどうかを判定すればよい。
【００６２】
図１３では、設定キースイッチ用信号源２０６２の出力がコンパレータ２００ｅに入力されるとともに、オン／オフ装置２０６０を経由して設定キースイッチ２０５４に入力される。設定キースイッチ用信号源２０６２と設定キースイッチ２０５４の間に、リレーなどのオン／オフ装置２０６０が直列に接続されている。設定キースイッチ２０５４をオン（ＯＮ）したときに、設定キースイッチ用信号源２０６２の信号がメイン基板２００に入力されるには、オン／オフ装置２０６０がオンでなければならない。
【００６３】
発明の実施の形態２は、設定キースイッチ電源２０６１に代えて、特定の種類の信号を出力する設定キースイッチ用信号源２０６２を設けたものである。発明の実施の形態２では、コンパレータ２００ｅで、設定キースイッチ２０５４からの信号を設定キースイッチ用信号源２０６２の特定の種類の信号と比較することで、設定キースイッチ２０５４のオンオフを判断する。
【００６４】
オン／オフ装置２０６０がオフ又は設定キースイッチ２０５４がオフのときは、コンパレータ２００ｅでの比較結果は不一致である（コンパレータ２００ｅの一方の入力は前記特定の種類の信号であるが、他方は無信号（典型的にはＬ又はＨレベルで変化なし）である）。この場合、メイン基板２００は設定変更の処理を行わない。オン／オフ装置２０６０がオン、かつ、設定キースイッチ２０５４がオンのときは、コンパレータ２００ｅでの比較結果は一致である。このとき、メイン基板２００は設定変更の処理を行う。
【００６５】
発明の実施の形態２は、発明の実施の形態１と同様の作用効果を奏する。
【００６６】
なお、発明の実施の形態１と２では、オン／オフ装置２０６０で設定キースイッチ２０５４をオンオフしている（有効無効を切り替えている）が、本発明はこれに限定されない。設定の変更を行う際に使用される他のスイッチにも適用できる。例えば、設定キースイッチ２０５４に代えて、設定変更／リセットスイッチ２０５５あるいはスタートスイッチ１３４を用いることができる。
【００６７】
具体的には、設定値を変更する際に使用する設定変更／リセットスイッチ２０５５にオン／オフ装置２０６０を接続するようにしてもよい。その接続は設定キースイッチ２０５４の場合と同じなので、その説明は省略する。
【００６８】
設定値を確定する際に使用するスタートスイッチ１３４にオン／オフ装置２０６０を接続するようにしてもよい。その接続の一例を図１４に示す。オン／オフ装置２０６０は、スタートスイッチ１３４とメイン基板２００の間に設けられている。
【００６９】
設定変更／リセットスイッチ２０５５、スタートスイッチ１３４に適用した場合も、発明の実施の形態１、２と同様の作用効果を奏する。
【００７０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７１】
【図１】前扉を閉めた状態を示す遊技機の正面図である。
【図２】前扉を１８０度開いた状態を示す遊技機の正面図である。
【図３】遊技機の電源部の正面図である。
【図４】発明の実施の形態に係る遊技機の機能ブロック図である。
【図５】発明の実施の形態１に係る電源部の内部接続の概念図である。
【図６】発明の実施の形態に係る設定変更フローチャートを示す。
【図７】発明の実施の形態に係る設定キースイッチ電源オンオフ処理フローチャートを示す。
【図８】発明の実施の形態に係る設定変更時刻監視処理フローチャートである。
【図９】発明の実施の形態に係る遊技機における設定変更不可時間帯の説明図である。
【図１０】発明の実施の形態に係る１週間単位で設定変更時間帯を設定する場合の説明図である。
【図１１】発明の実施の形態に係る１ヶ月単位で設定変更時間帯を設定する場合の説明図である。
【図１２】発明の実施の形態に係る遊技機における設定変更不可時間帯の説明図である。
【図１３】発明の実施の形態２に係る設定キースイッチの接続の概念図である。
【図１４】発明の実施の形態に係る遊技機の他の機能ブロック図である。
【符号の説明】
【００７２】
１３４  スタートスイッチ（設定変更用スイッチ）
２００  メイン基板
２００ａ  設定キー電源制御部（オンオフ制御部）
２００ｂ  パワーオンタイマ
２００ｃ  リアルタイムクロック
２００ｄ  設定変更時間帯記憶部
２００ｅ  コンパレータ（比較部）
２０１  サブ基板
２０３  リールユニット
２０５  電源部
２０５４  設定キースイッチ（設定変更用スイッチ）
２０５５  設定変更／リセットスイッチ（設定変更用スイッチ）
２０６０  オン／オフ装置
２０６１  設定キースイッチ電源（電源）
２０６２  設定キースイッチ用信号源（信号源）
ＤＳ  ドア開放検知センサ（前扉開放検知センサ）
【図１】
2008289570.tif 000003
【図２】
2008289570.tif 000004
【図３】
2008289570.tif 000005
【図４】
2008289570.tif 000006
【図５】
2008289570.tif 000007
【図６】
2008289570.tif 000008
【図７】
2008289570.tif 000009
【図８】
2008289570.tif 000010
【図９】
2008289570.tif 000011
【図１０】
2008289570.tif 000012
【図１１】
2008289570.tif 000013
【図１２】
2008289570.tif 000014
【図１３】
2008289570.tif 000015
【図１４】
2008289570.tif 000016